(57)【特許請求の範囲】
【請求項１】
表面シート、裏面シート及び両シート間に介在された吸収体を備え、該吸収体の長手方向両側部に沿って一対のレッグフラップ部が設けられている使い捨ておむつであって、
前記レッグフラップ部は、少なくとも股下部において、レッグギャザーと、該レッグギャザーの上面を被覆するように該上面に上部接合部により接合された被覆シートとから構成されており、該レッグギャザーの幅方向外側の端部と、該被覆シートの幅方向外側の端部とは略一致しており、
前記レッグギャザーは、幅方向に並列した複数のレッグ弾性部材がレッグギャザー形成シートにより上下から挟持されて形成されており、
幅方向の最外側に配されている前記レッグ弾性部材は、一対の前記レッグフラップ部それぞれの幅方向外側の端部又はその近傍に配されており、
前記上部接合部の幅方向外側の端部は、幅方向の最外側に配されている前記レッグ弾性部材よりも、幅方向内方に位置しており、
前記レッグフラップ部における前記レッグギャザーと前記被覆シートとの間において、該レッグフラップ部の幅方向外側の端部及びその近傍に前記上部接合部が存在していない使い捨ておむつ。
【請求項２】
前記レッグギャザー形成シートは、幅方向外側において上面側から幅方向内方に折り返されて２層領域を形成しており、該２層領域において前記レッグ弾性部材を挟持している請求項１記載の使い捨ておむつ。
【請求項３】
前記レッグギャザー形成シートは、使い捨ておむつの非肌当接面側の最外層を形成する外層シートから形成されている請求項１又は２に記載の使い捨ておむつ。
【請求項４】
前記裏面シートは、前記レッグギャザーにおける前記２層領域の下層と前記レッグ弾性部材との間に介在しており、該裏面シートの幅方向外側の端部は、幅方向の最外側に配されている該レッグ弾性部材よりも、幅方向外方に位置している請求項２又は３に記載の使い捨ておむつ。
【請求項５】
前記表面シートの上面には、前記吸収体の長手方向両側部に沿って立体ギャザーが設けられており、
前記被覆シートは、前記立体ギャザー形成用のシートから形成されている請求項１〜４の何れかに記載の使い捨ておむつ。
【請求項６】
前記上部接合部の幅方向外側の端部と、幅方向の最外側に配されている前記レッグ弾性部材との幅方向間隔は、１〜２０ｍｍである請求項１〜５の何れかに記載の使い捨ておむつ。
【請求項７】
前記上部接合部は、面方向に非連続的に形成されている請求項１〜６の何れかに記載の使い捨ておむつ。
【請求項８】
前記裏面シートの下面と、前記外層シートの上面における該裏面シートの下面と対向する領域とは、略全域に亘って下部接合部により接合されており、股下部において、該下部接合部の幅方向外側の端部は、前記レッグギャザーの幅方向外側の端部よりも、１〜２０ｍｍ幅方向内方に位置している請求項３〜７の何れかに記載の使い捨ておむつ。
【請求項９】
前記表面シートの幅方向外側の端部は、幅方向の最内側に配されている前記レッグ弾性部材よりも、幅方向内方に位置しており、前記レッグギャザーと幅方向において離間している請求項１〜８の何れかに記載の使い捨ておむつ。
【発明の詳細な説明】
【技術分野】
【０００１】
本発明は、使い捨ておむつ、特にレッグフラップ部を有する使い捨ておむつに関する。
【背景技術】
【０００２】
従来、レッグフラップ部を備えた使い捨ておむつが広く知られている。この種のおむつは、おむつの長手方向の両側部に沿って一対のレッグフラップ部が設けられており、レッグフラップ部の幅方向外側には、レッグギャザーによるヒダが形成されているものもある。
この種の使い捨ておむつでは、おむつを幼児に装着する際、おむつのレッグフラップ部におけるレッグギャザーのヒダがおむつの内側に入り込み、そのままにしておくと、おむつ着用中に、レッグフラップ部から漏れを生じる場合がある。そこで、保護者等は、おむつを幼児に装着する際、レッグギャザーのヒダをおむつの外側に出して手直しを行う必要があり、おむつ装着時の手間となっている。
【０００３】
また、下記特許文献１，２には、おむつ幅方向最外側に位置するレッグ弾性部材が、レッグフラップ部の幅方向外側の端部近傍に配されている使い捨ておむつが開示されている。このような構成のおむつは、レッグ弾性部材がレッグフラップ部の幅方向外側の端近傍に配されているため、レッグフラップ部の外側にはヒダがないか又はほとんど形成されていない。そのため、おむつを幼児に装着する際、おむつのレッグフラップ部におけるレッグギャザーのヒダがおむつの内側に入り込むことはなく、おむつ着用時における足回りの手直しをしなくて済むため、着用を速やかに行える。また、外観的にもスリムになり、見栄えが向上している。
【０００４】
【特許文献１】特表２００２−５２２１１７号公報
【特許文献２】特表２００３−５１３７０８号公報
【発明の開示】
【発明が解決しようとする課題】
【０００５】
また、特許文献１，２記載の使い捨ておむつにおいては、レッグギャザーの上面（肌当接面側）には別のシートが接合されており、レッグギャザーが着用者の肌に直接接触することがないため、レッグギャザーが肌に直接接触することに起因する肌触りの悪さが解消されている。
しかしながら、このような構成の使い捨ておむつにおいては、レッグフラップ部の肌触りを更に向上させることが望まれている。
【０００６】
従って、本発明の目的は、レッグギャザーの上面が被覆シートで被覆されて構成されているレッグフラップ部を有する使い捨ておむつにおいて、レッグフラップ部の肌触りを更に向上させることができる使い捨ておむつを提供することにある。
【課題を解決するための手段】
【０００７】
本発明は、表面シート、裏面シート及び両シート間に介在された吸収体を備え、該吸収体の長手方向両側部に沿って一対のレッグフラップ部が設けられている使い捨ておむつであって、前記レッグフラップ部は、少なくとも股下部において、レッグギャザーと、該レッグギャザーの上面を被覆するように該上面に上部接合部により接合された被覆シートとから構成されており、該レッグギャザーの幅方向外側の端部と、該被覆シートの幅方向外側の端部とは略一致しており、前記レッグギャザーは、幅方向に並列した複数のレッグ弾性部材がレッグギャザー形成シートにより上下から挟持されて形成されており、幅方向の最外側に配されている前記レッグ弾性部材は、一対の前記レッグフラップ部それぞれの幅方向外側の端部又はその近傍に配されており、前記上部接合部の幅方向外側の端部は、幅方向の最外側に配されている前記レッグ弾性部材よりも、幅方向内方に位置している使い捨ておむつを提供することにより、上記目的を達成したものである。
【発明の効果】
【０００８】
本発明の使い捨ておむつによれば、レッグギャザーの上面が被覆シートで被覆されて構成されているレッグフラップ部を有する使い捨ておむつにおいて、レッグフラップ部の肌触りを更に向上させることができる。
【発明を実施するための最良の形態】
【０００９】
以下、本発明の使い捨ておむつの好ましい一実施形態（第１実施形態）について、図面を参照しながら説明する。
第１実施形態の使い捨ておむつ１は、幼児用の展開型の使い捨ておむつであり、図１〜図３に示すように、表面シート２、裏面シート３及び両シート２，３間に介在された吸収体４を備えている。裏面シート３の下側には、使い捨ておむつの非肌当接面側の最外層を形成する外層シート８が設けられている。吸収体４の長手方向両側部４Ａには、長手方向両側部４Ａに沿って一対のレッグフラップ部５，５が設けられている。
【００１０】
裏面シート３及び外層シート８は、使い捨ておむつの外形形状に一致する砂時計状の外形を有している。裏面シート３の幅方向外側の端部３Ａ及び外層シート８の幅方向外側の端部８Ａは、それぞれ表面シート２の幅方向外側の端部２Ａから幅方向外方に延出している。
尚、「長手方向」及び「幅方向」というときは、それぞれ「吸収性物品の長手方向」及び「吸収性物品の幅方向」を意味する。「上面」及び「下面」というときは、それぞれ「肌当接面（側の面）」及び「非肌当接面（側の面）」を意味する。
【００１１】
表面シート２、裏面シート３、吸収体４及び外層シート８としては、当該技術分野において通常用いられている材料を特に制限なく用いることができる。
表面シート２としては、液透過性の材料が用いられ、例えば、親水化処理が施された各種不織布や開孔フィルムを用いることができる。
裏面シート３としては、液不透過性又は撥水性の材料が用いられ、例えば、熱可塑性樹脂のフィルムや、該フィルムと不織布とのラミネートを用いることができ、水蒸気透過性を有するものを用いることもできる。
【００１２】
吸収体４としては、液保持性の材料が用いられ、例えば、パルプ繊維を堆積させて得られた積繊層、パルプ繊維を原料とする不織布からなるものを用いることができる。
外層シート８としては、例えば、スパンボンド不織布、スパンボンド−メルトブローン−スパンボンド不織布、スパンボンド−メルトブローン−メルトブローン−スパンボンド不織布、ニードルパンチ不織布、スパンレース不織布、エアスルー不織布、ヒートロール不織布等の使い捨ておむつ等の吸収性物品において従来用いられている不織布を特に制限なく用いることができる。
【００１３】
レッグフラップ部５は、少なくとも股下部Ａにおいて、レッグギャザー５１と、レッグギャザー５１の上面を被覆するように該上面に上部接合部７１により接合された被覆シート６２とから構成されている。
レッグフラップ部５とは、製品の長手方向中央部における製品の幅方向外側の端部から吸収体４の幅方向外側の端部４Ａ間の前後方向の領域を指す。股下部Ａとは、着用時に着用者（被装着者）の股下部（股間部）に配される領域のことであり、本実施形態においては、背側のサイドフラップ部９１、９１（後述）と腹側のサイドフラップ部９１、９１（後述）との間の領域をいう。背側部Ｂ及び腹側部Ｃとは、股下部Ａよりもそれぞれ背側及び腹側の領域をいう。
【００１４】
レッグギャザー５１は、幅方向に並列した複数のレッグ弾性部材５２，５２，５２がレッグギャザー形成シート８により上下から挟持されて形成されている。本実施形態におけるレッグ弾性部材５２は、糸状の形態を有し、レッグフラップ部５の幅方向外側の端部（自由端）５Ａと略平行に３本配されている。幅方向に並列した複数のレッグ弾性部材５２，５２，５２のうち、幅方向の最外側に配されているレッグ弾性部材５２Ａは、一対のレッグフラップ部５それぞれの幅方向外側の端部５Ａ又はその近傍に配されている。そのため、幅方向の最外側に配されているレッグ弾性部材５２Ａの外側には、レッグギャザー５１のヒダがないか又はほとんど形成されていない。
【００１５】
「レッグフラップ部の幅方向外側の端部に配されている」とは、レッグフラップ部５の幅方向外側の端部５Ａから２ｍｍ以内の領域に配されていることをいう。「レッグフラップ部の幅方向外側の端部の近傍に配されている」とは、レッグフラップ部５の幅方向外側の端部５Ａから２ｍｍ超、５ｍｍ以内の領域に配されていることをいう。本実施形態においては、幅方向の最外側に配されているレッグ弾性部材５２Ａは、レッグフラップ部５の幅方向外側の端部５Ａに配されている。
【００１６】
レッグギャザー形成シートは、前記外層シート８から、詳細には、外層シート８における吸収体４の幅方向外側の端部４Ａから幅方向外方に延出した領域から形成されている。
レッグギャザー形成シート８は、幅方向外側において上面側から幅方向内方に折り返されて２層領域８２を形成しており、２層領域８２においてレッグ弾性部材５２を挟持している。２層領域８２の幅は、例えば、１５〜５０ｍｍである。尚、レッグギャザー形成シート８における１層の領域を「１層領域８１」という。
【００１７】
レッグギャザー５１において、裏面シート３は、レッグギャザー形成シート８における２層領域８２の下層８２Ａとレッグ弾性部材５２との間に介在している。裏面シート３の幅方向外側の端部３Ａは、幅方向の最外側に配されているレッグ弾性部材５２Ａよりも、幅方向外方に位置しており、好ましくは、１〜５ｍｍ幅方向外方に位置している。このように、裏面シート３がレッグギャザー５１に介在していることにより、レッグフラップ部５における防漏性が高められている。
レッグギャザー形成シート８の２層領域８２の内部においては、レッグギャザー形成シート８と裏面シート３とは実質的に接合されていないが、レッグ弾性部材５２とレッグギャザー形成シート８及び裏面シート３とは接着剤等の公知の接合手段で接合されている。
【００１８】
レッグギャザー５１の上面には、該上面を被覆するように被覆シート６２が接合されている。レッグギャザー５１と被覆シート６２とは、上部接合部７１により接合されている。
上部接合部７１の幅方向外側の端部７１Ａは、幅方向の最外側に配されているレッグ弾性部材５２Ａよりも、幅方向内方に位置している。上部接合部７１の幅方向外側の端部７１Ａと、幅方向の最外側に配されているレッグ弾性部材５２Ａとの幅方向間隔Ｗ１〔図３（ｂ）参照〕は、好ましくは１〜２０ｍｍであり、更に好ましくは１〜１０ｍｍである。
【００１９】
上部接合部７１により接合されたレッグギャザー５１及び被覆シート６２においては、レッグギャザー５１の幅方向外側の端部５１Ａと、被覆シート６２の幅方向外側の端部６２Ａとは略一致している。「略一致している」とは、レッグギャザー５１の幅方向外側の端部５１Ａと、被覆シート６２の幅方向外側の端部６２Ａとの幅方向の位置ズレが、１０ｍｍ以内であることをいう。
【００２０】
上部接合部７１は、面方向に連続に形成されていてもよく、面方向に非連続的に形成されていてもよいが、塗工工程の簡便さや乾燥後におけるレッグギャザー５１のしなやかさの点で、面方向に非連続的に形成されていることが好ましい。面方向に非連続的な塗工形状としては、例えば、スパイラル形状、ストライプ形状、ウェーブ形状、ドット状が挙げられる。面方向に連続的な塗工形状（いわゆるベタ塗り）は、コーター方式のような接触式の塗工により形成することができ、スロット方式のような噴霧式の塗工を実質的に隙間なく行うことにより形成することもできる。尚、噴霧式の塗工によれば、噴霧条件によって、面方向に非連続的な塗工形状（ドット形状）を形成することができ、面方向に連続的な塗工形状（ベタ塗り）を形成することもできる。
【００２１】
表面シート２の上面には、吸収体４の長手方向両側部４Ａに沿って一対の立体ギャザー６，６が設けられている。被覆シート６２は、この立体ギャザー形成用のシートから、詳細には、立体ギャザー形成用のシートにおける吸収体４の幅方向外側の端部４Ａから幅方向外方に延出している領域から形成されている。
【００２２】
本実施形態においては、立体ギャザー６は、２本の糸状の立体ギャザー形成用の弾性部材６１が立体ギャザー６の自由端と略平行に配されており、該弾性部材６１が、被覆シート６２における幅方向内側の端部又はその近傍で挟持されて形成されている。
尚、各立体ギャザー６は、緊張状態では表面シート２上に倒れているが、図３においては、便宜上、表面シート２に対して立ち上がった状態で示してある。
【００２３】
被覆シート６２は、表面シート２の幅方向外側の端部２Ａの上面に、基端接合部７３により、長手方向に亘って直線状に接合されている。従って、レッグギャザー５１は、立体ギャザー６を介して表面シート２に接合されている。
立体ギャザー６は、背側部Ｂ及び腹側部Ｃにおいて、基端接合部７３よりもおむつ幅方向内側に位置する領域が表面シート２上に接合されている。
尚、図３を用いて使い捨ておむつ１の右側の構成について説明したが、使い捨ておむつ１の左側も同様に構成されている。
【００２４】
図１及び図２に示すように、一対の立体ギャザー６，６は、それぞれ、背側部Ｂにおいてその長手方向一端部が接合され、腹側部Ｃにおいてその長手方向他端部が接合されている。
また、背側部Ｂ及び腹側部Ｃにおけるウエスト部Ｄには、それぞれ、シート状のウエスト弾性部材（図示せず）が設けられており、該ウエスト弾性部材によりウエストギャザーが形成されている。
【００２５】
背側部Ｂの幅方向外側の両端部には、それぞれ幅方向外方に延出するサイドフラップ部９１，９１が形成されている。各サイドフラップ部９１には、ファスニングテープ９２が幅方向外方に延出して取り付けられている。ファスニングテープ９２には、メカニカルファスナーのフック部材９３が取り付けられている。フック部材９３としては当該技術分野において公知のものを特に制限なく用いることができる。
腹側部Ｃの両側部にも、それぞれ幅方向外方に延出するサイドフラップ部９１，９１が形成されている。腹側部Ｃにおける裏面シート３の外表面（非肌当接面側）には、ファスニングテープ９２のフック部材９３を止着自在なランディングテープ（図示せず）が設けられている
【００２６】
使い捨ておむつ１は、自然状態において、一対のレッグフラップ部５，５におけるレッグギャザー５１，５１及び一対の立体ギャザー６，６の収縮力によって、図１に示すように、肌当接面側に向けて湾曲している。「自然状態」とは、重力以外の外力が使い捨ておむつに実質上働いていない状態をいう。
また、使い捨ておむつ１は、緊張状態においては、巨視的にみて、長手方向中央部が括れた砂時計状の形状を有している。「緊張状態」とは、おむつに伸長固定されている各弾性部材の収縮により縮んだおむつの収縮を解いた状態のことをいい、換言すると、各ギャザー（弾性部材）をおむつの長手方向及び幅方向共におむつの寸法値の最大に伸長させた状態をいう。
【００２７】
レッグフラップ部５の幅は、おむつの緊張状態において、長手方向のどの位置でも同じであることが好ましく、具体的には１０〜７０ｍｍ、特に２０〜５０ｍｍであることが好ましい。股下部Ａの長さは、おむつの緊張状態において、好ましくは５０〜３５０ｍｍ、更に好ましくは１００〜２５０ｍｍである。
【００２８】
このように構成された第１実施形態の使い捨ておむつ１によれば、レッグフラップ部５の肌当接面側に被覆シート６２が配設されているため、レッグギャザー５１が着用者の肌に直接接触し難い。また、レッグフラップ部５におけるレッグギャザー５１と被覆シート６２との間において、幅方向外側の端部５Ａ及びその近傍に上部接合部７１が存在しておらず、空気層が形成されるため、レッグフラップ部５の幅方向外側の端部５Ａ近傍が柔らかい。
【００２９】
更に、レッグギャザー５１において、幅方向の最外側に配されているレッグ弾性部材５２Ａは、上部接合部７１の剛性の影響が少ないため、上部接合部７１により追従性を阻害されている幅方向内側のレッグ弾性部材５２に比して、伸縮応答性に優れ、追従性がよい。これらの相乗効果により、レッグフラップ部５は、着用者の肌に優しく接触して肌触りがよく、しかも密着して防漏性も高い。
【００３０】
また、レッグ弾性部材５２が、レッグギャザー形成シート８における折り返された２層領域８２において挟持されているため、レッグギャザー５１の幅方向外側の端部５１Ａからのレッグ弾性部材５２の脱落がなく、レッグギャザー５１の幅方向外側の端部５１Ａに接合部を設ける必要がないため、レッグギャザー５１の幅方向外側の端部５１Ａが柔らかく、しなやかである
【００３１】
次に、本発明の使い捨ておむつの別の実施形態について図面を参照しながら説明する。別の実施形態については、第１実施形態と異なる点を中心に説明する。特に説明しない点については、第１実施形態についての説明が適宜適用される。同じ部材については同じ符号を付してある。
【００３２】
第２実施形態の使い捨ておむつ１は、図４に示すように、第１実施形態に比して、幅方向の最外側に配されているレッグ弾性部材５２Ａが、レッグフラップ部５の幅方向外側の端部５Ａ（レッグギャザー５１の幅方向外側の端部５１Ａ）に配されておらず、その近傍に（端部５Ａから２ｍｍ超、５ｍｍ以内の領域に）配されている。その他の構成は、第１実施形態の使い捨ておむつ１と同様の構成を有している。
【００３３】
このように構成された第２実施形態の使い捨ておむつ１によれば、第１実施形態の使い捨ておむつ１と同様の効果が奏される。更に、レッグギャザー５１において、その幅方向外側の端部５１Ａと幅方向の最外側に配されているレッグ弾性部材５２Ａとの間に空気層が形成されるため、レッグギャザー５１の幅方向外側の端部５１Ａが一体化しておらず、端部５１Ａにおいて体液が一気にしみ出し難く、防漏性が高い。
【００３４】
また、着用者の肌に最も接触し易い部分である幅方向外側の端部５Ａが硬くなり難く、端部５Ａのチクチク感等の違和感も解消される。
更に、レッグギャザー５１の幅方向内側の領域の収縮により、レッグギャザー５１の幅方向外側の領域は比較的大きいシャーリングとなり、着用者の肌を優しく包み込むことができる。
【００３５】
第３実施形態の使い捨ておむつ１は、図５に示すように、裏面シート３の下面と、外層シート８の上面における裏面シート３の下面と対向する領域（外層シート８における２層領域８２の上層８２Ｂを除く領域）とが、略全域に亘って下部接合部７２により接合されておりいる。また、股下部Ａにおいて、下部接合部７２の幅方向外側の端部７２Ａが、レッグギャザー５１の幅方向外側の端部５１Ａよりも、１〜２０ｍｍ、好ましくは１〜１０ｍｍ幅方向内方に位置している。「略全域に亘って」とは、巨視的にみて全域に亘ってという意味であり、例えば、スパイラル状やストライプ状の塗工のように非連続的な塗工であっても、塗工領域の全体に亘って接着剤が塗工されていれば「略全域に亘って」に該当する。その他の構成は、第１実施形態の使い捨ておむつ１と同様の構成を有している。
【００３６】
このように構成された第３実施形態の使い捨ておむつ１によれば、第１実施形態の使い捨ておむつ１と同様の効果が奏される。更に、下部接合部７２により裏面シート３と外層シート（レッグギャザー形成シート）８とが一体化する一方で、下部接合部７２の剛性により使い捨ておむつの非肌当接面側が硬くなり易いが、少なくとも、レッグギャザー５１において、その幅方向外側の端部５１Ａと下部接合部７２の幅方向外側の端部７２Ａとの間に空気層が形成されるため、レッグギャザー５１の幅方向外側の端部５１Ａについて良好な肌触りを確保できる。
また、幅方向の最外側に配されているレッグ弾性部材５２Ａは、下部接合部７２の剛性の影響が少ないため、他のレッグ弾性部材５２に比して、伸縮応答性に優れ、追従性がよい。
【００３７】
第４実施形態の使い捨ておむつ１は、図６に示すように、裏面シート３の幅方向外側の端部３Ａがレッグギャザー５１の幅方向外側の端部５１Ａから離間しており、下部接合部７２の幅方向外側の端部７２Ａと略一致している。その他の構成は、図５に示す第３実施形態の使い捨ておむつ１と同様の構成を有している。
【００３８】
このように構成された第４実施形態の使い捨ておむつ１によれば、第３実施形態の使い捨ておむつ１と同様の効果が奏される。更に、レッグギャザー形成シート８の所定領域（２層領域８２の上層８２Ｂを形成する領域）を上面側に折り返して、レッグギャザー５１を形成する際に、裏面シート３の幅方向外側の端部３Ａを一緒に巻き上げてしまうことがなく、それに起因して、レッグギャザー５１の幅方向外側の端部５１Ａを硬くすることがない。
【００３９】
第５実施形態の使い捨ておむつ１は、図７に示すように、図４に示す第２実施形態と同様に、幅方向の最外側に配されているレッグ弾性部材５２Ａが、レッグフラップ部５の幅方向外側の端部５（レッグギャザー５１の幅方向外側の端部５１Ａ）の近傍に（端部５Ａから２ｍｍ超、５ｍｍ以内の領域に）配されている。その他の構成は、図５に示す第３実施形態の使い捨ておむつ１と同様の構成を有している。
【００４０】
このように構成された第５実施形態の使い捨ておむつ１によれば、第３実施形態の使い捨ておむつ１と同様の効果が奏される。更に、第２実施形態と同様に、レッグギャザー５１においてその幅方向外側の端部５１Ａと幅方向の最外側に配されているレッグ弾性部材５２Ａとの間に空気層が形成されるため、それに起因して、第２実施形態と同様の効果が奏される。
【００４１】
第６実施形態の使い捨ておむつ１は、図８に示すように、図６に示す第４実施形態と同様に、裏面シート３の幅方向外側の端部３Ａが、レッグギャザー５１の幅方向外側の端部５１Ａから離間している。その他の構成は、図７に示す第５実施形態の使い捨ておむつ１と同様の構成を有している。
【００４２】
このように構成された第６実施形態の使い捨ておむつ１によれば、第５実施形態の使い捨ておむつ１と同様の効果が奏される。更に、第４実施形態と同様に、裏面シート３の幅方向外側の端部３Ａがレッグギャザー５１の幅方向外側の端部５１Ａから離間しているため、裏面シート３の幅方向外側の端部３Ａを一緒に巻き上げてしまうことがなく、それに起因して、第４実施形態と同様の効果が奏される。
【００４３】
第７実施形態の使い捨ておむつ１は、図１０（ａ）に示すように、第１実施形態に比して、上部接合部７１が、帯形状の内側接合部７１Ｂとビート形状（長手方向に連続的な線状）の外側接合部７１Ｃとから構成されている。外側接合部７１Ｃは、内側接合部７１Ｂの幅方向外側に所定間隔をおいて離間している。内側接合部７１Ｂの幅は、好ましくは１０〜３０ｍｍである。外側接合部７１Ｃの幅は、好ましくは０．５〜３ｍｍである。つまり、第７実施形態における上部接合部７１は、内側接合部７１Ｂと外側接合部７１Ｃとの間に帯状の非接合領域が存在している点で、全体として、面方向に非連続的な塗工形状を有している。尚、図１０においては、模式的に、被覆シート６２、上部接合部７１及びレッグギャザー５１それぞれが厚み方向に離間した状態で図示している。
【００４４】
内側接合部７１Ｂは、それのみに着目した場合に、面方向に連続的な塗工形状を有していてもよく、面方向に非連続的な塗工形状を有していてもよい。内側接合部７１Ｂの塗工形状は、前述の上部接合部７１の塗工形状（例えばベタ塗り、ドット形状、スパイラル形状）を適宜採用できる。
また、背側部Ｂの幅方向外側においては、図１０（ｂ）に示すように、サイドフラップ部９１の形成素材における幅方向内側の領域は、幅方向外側から幅方向内側に向けて、被覆シート６２と外側接合部７１Ｃとの間、内側接合部７１Ｂとレッグギャザー５１との間にＳ字状に挿通されて配設されている。
その他の構成は、第１実施形態の使い捨ておむつ１と同様の構成を有している。
【００４５】
このように構成された第７実施形態の使い捨ておむつ１によれば、第１実施形態の使い捨ておむつ１と同様の効果が奏される。また、上部接合部７１が帯状の内側接合部７１Ｂとビート形状の外側接合部７１Ｃとから構成されているため、幅方向内側においては内側接合部７１Ｂにより強い接合力で接合することができると共に、幅方向外側においては外側接合部７１Ｃにより少ない接着剤でしなやかに接合することができる。
【００４６】
本発明の使い捨ておむつは、前述した各実施形態に制限されることなく、本発明の趣旨を逸脱しない限り適宜変更が可能である。
例えば、前述の各実施形態における構成を適宜組み合わせることができる。
レッグギャザーは、幅方向に並列した複数のレッグ弾性部材がレッグギャザー形成シートにより上下から挟持されて形成されていれば、その構成に制限はない。
【００４７】
例えば、レッグギャザー形成シートを幅方向外側において下面側から幅方向内方に折り返して２層領域を形成し、このように形成された２層領域にレッグ弾性部材を挟持して、レッグギャザーを形成してもよい。
また、レッグギャザー形成シート８は、図９に示すように、２枚のシートを、それらの幅方向外側の端部８Ａにおいて端部接合部７４により接合して２層領域８２を形成し、このように形成された２層領域８２にレッグ弾性部材５２を挟持してレッグギャザー５１を構成することができる。
【００４８】
レッグギャザー形成シートは、外層シートから形成されていなくてもよく、例えば、裏面シートから形成することができる。
被覆シートは、立体ギャザー形成用のシートから形成されていなくてもよく、例えば、表面シートから形成することでき、また、立体ギャザー形成用のシートや表面シート等とは別のシートから形成することができる。
【００４９】
レッグ弾性部材、立体ギャザー形成用の弾性部材、ウエスト弾性部材の本数、形状等は適宜変更することができる。
本発明は、幼児用の使い捨ておむつに制限されず、大人用の使い捨ておむつにも適用することができる。また、展開型の使い捨ておむつに制限されず、パンツ型の使い捨ておむつにも適用することができる。
【図面の簡単な説明】
【００５０】
【図１】図１は、本発明の使い捨ておむつの第１実施形態の自然状態における斜視図である。
【図２】図２は、第１実施形態の使い捨ておむつの緊張状態における展開平面図である。
【図３】図３（ａ）は、図２に示すIII−III断面の模式的断面図で、図３（ｂ）は、図３（ａ）の部分拡大図である。
【図４】図４は、本発明の使い捨ておむつの第２実施形態におけるレッグフラップ部を模式的に示す部分拡大断面図〔図３（ｂ）相当図〕である。
【図５】図５（ａ）は、本発明の使い捨ておむつの第３実施形態の模式的断面図〔図３（ａ）相当図〕、図５（ｂ）は、図５（ａ）の部分拡大図〔図３（ｂ）相当図〕である。
【図６】図６は、本発明の使い捨ておむつの第４実施形態におけるレッグフラップ部を模式的に示す部分拡大断面図〔図３（ｂ）相当図〕である。
【図７】図７は、本発明の使い捨ておむつの第５実施形態におけるレッグフラップ部を模式的に示す部分拡大断面図〔図３（ｂ）相当図〕である。
【図８】図８は、本発明の使い捨ておむつの第６実施形態におけるレッグフラップ部を模式的に示す部分拡大断面図〔図３（ｂ）相当図〕である。
【図９】図９は、本発明の使い捨ておむつの別の実施形態におけるレッグフラップ部を模式的に示す部分拡大断面図〔図３（ｂ）相当図〕である。
【図１０】図１０（ａ）は、本発明の使い捨ておむつの第７実施形態を示す模式的断面図〔図３（ｂ）相当図〕で、図１０（ｂ）は、背側部の幅方向外側の模式的断面図である。
【符号の説明】
【００５１】
１      使い捨ておむつ
２      表面シート
２Ａ    幅方向外側の端部
３      裏面シート
３Ａ    幅方向外側の端部
４      吸収体
４Ａ    側部（幅方向外側の端部）
５      レッグフラップ部
５Ａ    幅方向外側の端部
５１    レッグギャザー
５１Ａ  幅方向外側の端部
５２    レッグ弾性部材
５２Ａ  幅方向の最外側に配されているレッグ弾性部材
６      立体ギャザー
６１    立体ギャザー形成用の弾性部材
６２    立体ギャザー形成シート（被覆シート）
６２Ａ  幅方向外側の端部
７１    上部接合部
７１Ａ  幅方向外側の端部
７２    下部接合部
７２Ａ  幅方向外側の端部
７３    基端接合部
７４    端部接合部
８      外層シート（レッグギャザー形成シート）
８１    １層領域
８２    ２層領域
９１    サイドフラップ部
９２    ファスニングテープ
９３    フック部材
Ａ      股下部
Ｂ      背側部
Ｃ      腹側部
【図１】
0004522351.tif 000002
【図２】
0004522351.tif 000003
【図３】
0004522351.tif 000004
【図４】
0004522351.tif 000005
【図５】
0004522351.tif 000006
【図６】
0004522351.tif 000007
【図７】
0004522351.tif 000008
【図８】
0004522351.tif 000009
【図９】
0004522351.tif 000010
【図１０】
0004522351.tif 000011